(57)【特許請求の範囲】
【請求項１】
ケース内に空転自在に挿入され、かつ、回転ストッパにより所定の空転操作力に達するまでケースとの空転動作が規制されるスリーブと、
スリーブに回転自在に挿入され、スリーブに形成されるロック溝に係脱するタンブラを備えたプラグと、
スリーブ、およびプラグに対して相対回転自在なジョイントと、
プラグに装着され、プラグの回転に伴ってプラグ軸長方向に移動してジョイントに係脱する連結部材とを有し、
前記ジョイントは、トーションスプリングの付勢力により初期回転位置に保持されるとともに、
連結部材とジョイントとは、プラグがスリーブに対して初期回転位置にあるときに係止解除状態で、プラグのスリーブに対する解錠回転位置方向への相対回転動作に伴って施解錠双方向に接続状態となるシリンダ錠。
【請求項２】
前記ジョイントの後端にはケースから突出するレバー取付部が延設されるとともに、
前記トーションスプリングは、前記レバー取付部とケースとに脚部を連結して装着される請求項１記載のシリンダ錠。
【請求項３】
前記連結部材とジョイントの一方には連結用突起が突設されるとともに、他方には、連結開始時に連結用突起に対してプラグ軸長方向に正対する連結凹部が形成される請求項１または２記載のシリンダ錠。
【請求項４】
前記連結部材は、スリーブに形成されたカム溝にフォロワー突起を移動自在に嵌合させてプラグに装着される請求項１または２記載のシリンダ錠。
【請求項５】
前記連結部材はピース形状に形成されてプラグ表面に凹設されるガイド溝に移動自在に嵌合される請求項１、２、３または４記載のシリンダ錠。
【発明の詳細な説明】
【技術分野】
【０００１】
本発明はシリンダ錠に関するものである。
【背景技術】
【０００２】
ケース内に挿入されたプラグに不正操作力を与えた際に、操作対象を駆動するレバーへの操作力伝達を切断するシリンダ錠としては、特許文献１に記載のものが知られている。
【０００３】
この従来例において、シリンダ錠は、ケース内に回転自在で、割出し部材（１１）によりケースとの相対回転が規制されるステータスリーブ（２）と、ステータスリーブ（２）に回転自在に挿入されるロータ（１）とともに回転し、ロータ（１）に対して軸方向に移動自在な滑動リング（２０）と、ロータ（１）に連結されるロック片作動部材（レバー）と、レバーを初期回転位置に保持するためにケースに対して相対回転不能な滑動部材（２４）とを有する。滑動リングにはレバーに設けられた凹所に係脱する作動突起が設けられており、滑動リングの作動突起が凹所に係合した状態においてレバーは滑動リング、すなわちロータ（プラグ）とともに回転する。
【０００４】
初期状態で上記作動突起と凹所とは非係合状態に保持されるとともに、レバーは滑動部材に係止して回転が規制されて初期回転位置に保持されており、真正なキーを挿入しない状態でプラグに不正解錠操作力を与えると、ロックピン（タンブラ）を介してプラグに連結されている滑動リングとケースとの間に大きな相対回転力が発生して滑動リングのケースに対する回転が可能になり、さらにプラグを回転させると、滑動リングはプラグとともに回転する。この状態で滑動リングとレバーとは非連結状態であるために、レバーが回転することはなく、不正操作が規制される。
【０００５】
これに対し、真正な解錠キーを挿入してプラグを回転させると、プラグは滑動リングに対して回転する。滑動リングとプラグとの間にはプラグの相対回転により滑動リングを軸方向に移動させるカムが形成されており、プラグの回転に伴う滑動リングの移動に伴って滑動リングとレバーとが係合し、以後、プラグの回転とともにレバーが回転する。
【先行技術文献】
【特許文献】
【０００６】
【特許文献１】特開平１-３１５５６９号公報
【発明の概要】
【発明が解決しようとする課題】
【０００７】
しかし、上述した従来例において、プラグを正規に回転操作すると、滑動リングが後退するとともに、該滑動リングに押されるようにして滑動部材が後退してレバーへの拘束が解除され、この後、プラグとレバーとが回転するように構成されるために、以下の問題がある。
【０００８】
すなわち、プラグに対して回転方向に連結される滑動リングはプラグの回転操作に伴って回転しながら後退移動し、滑動部材を押し出すが、滑動部材の係止が解除されるまでの間、滑動リングはレバーに対して空転する必要があり、上述した従来例では、特許文献１第５頁第２欄、および第３欄に「正しい鍵（７）を挿入して、ロータ（１）を、例えば３０度という所定の角度回転させると、・・・ロック片作動部材（２７）は、・・・ロータ（１）と結合して、それと共に回転しうるようになる」とあるように、３０度の空転角度が設定されている。
【０００９】
この空転角度は、プラグを回転操作した逆方向、すなわち、解錠操作中における施錠方向の遊び角として作用するために、例えば、レバーに反時計回り方向の付勢力が付与されるような場合、レバーの操作角が不足する等の問題が発生する。
【００１０】
このため、本従来例は、使用条件が限られ、汎用性が低いという問題がある。
【００１１】
本発明は以上の欠点を解消すべくなされたものであって、汎用性の高いシリンダ錠の提供を目的とする。
【課題を解決するための手段】
【００１２】
本発明によれば
ケース１内に空転自在に挿入され、かつ、回転ストッパ２により所定の空転操作力に達するまでケース１との空転動作が規制されるスリーブ３と、
スリーブ３に回転自在に挿入され、スリーブ３に形成されるロック溝４に係脱するタンブラ５を備えたプラグ６と、
スリーブ３、およびプラグ６に対して相対回転自在なジョイント７と、
プラグ６に装着され、プラグ６の回転に伴ってプラグ６軸長方向に移動してジョイント７に係脱する連結部材８とを有し、
前記ジョイント７は、トーションスプリング９の付勢力により初期回転位置に保持されるとともに、
連結部材８とジョイント７とは、プラグ６がスリーブ３に対して初期回転位置にあるときに係止解除状態で、プラグ６のスリーブ３に対する解錠回転位置方向への相対回転動作に伴って施解錠双方向に接続状態となるシリンダ錠を提供することにより達成される。
【００１３】
本発明において、プラグ６に真正な解錠キーを挿入しない状態でプラグ６に不正な回転操作力を加えると、タンブラ５を介してプラグ６に回転方向に連結されるスリーブ３に回転操作力が伝達される。スリーブ３への回転操作力の伝達に伴ってスリーブ３、ケース１間には相対トルクが発生し、回転ストッパ２が解除されてスリーブ３はケース１に対して空転する。
【００１４】
初期状態においてプラグ６に連結された連結部材８とジョイント７とは係止解除状態にあるために、プラグ６への不正回転操作力はジョイント７に伝達されることはなく、ジョイント７を介した操作対象への不正操作が確実に防止される。
【００１５】
これに対し、真正な解錠キーを使用してプラグ６を回転操作した場合には、プラグ６の回転に伴って連結部材８がプラグ６の軸長方向に移動する。
【００１６】
一方、ジョイント７はトーションスプリング９の付勢力によって初期回転位置、すなわちジョイント７との係合可能位置に保持されており、連結部材８はプラグ６の軸長方向へよ移動に伴って確実にジョイント７に係合し、以後プラグ６の操作によりジョイント７、すなわち操作対象を操作することができる。
【００１７】
ジョイント７の初期回転位置への保持手段としてプラグ６の軸長方向への移動を伴なう部材を使用することなく、回転方向の付勢力を利用する本発明において、連結部材８のジョイント７への連結タイミングと、ジョイント７に対する初期回転位置への拘束解除タイミングを一致させる必要がなくなる。
【００１８】
この結果、上述した従来例のように、連結部材８とジョイント７との間にタイミング調整のための遊び角を設定する必要がなくなり、ジョイント７とプラグ６とを回転方向に完全に回転方向に連結することが可能になる。
【００１９】
トーションスプリング９は、ケース１内に収容することも可能であるが、ジョイント７の後端からレバー取付部１０を延設し、該レバー取付部１０とケース１とをトーションスプリング９の反力支持部として装着することができ、このように、ケース１外部に施解錠対象への操作部材であるレバー１７、およびトーションスプリング９を装着すると、装着作業性が良好になる上に、レバー１７をジョイント７に連結することにより、必要な場合には、レバー１７とジョイント７との間に回転方向の遊びを設けることも可能となる。
【００２０】
トーションスプリング９によるジョイント７の初期回転位置への保持は、ケース１にジョイント７、あるいはこれに一体に連結されるレバー１７の一方の回転ストローク終端を決定する回転ストッパ２を設け、トーションスプリング９によりジョイント７に回転ストッパ２当接側への付勢力を付与することにより、あるいは、図３に示すように、トーションスプリング９のコイル部９ａの双方の終端に形成された脚部１１を各々ジョイント７、およびケース１に係止させることにより実現できる。
【００２１】
連結部材８とジョイント７とを遊びがない状態で連結させることは、
前記連結部材８とジョイント７の一方には連結用突起１２が突設されるとともに、他方には、連結開始時に連結用突起１２に対してプラグ６軸長方向に正対する連結凹部１３を設けることにより実現できる。
【００２２】
連結用突起１２と連結凹部１３とは、プラグ６の解錠回転位置側への回転に伴ってプラグ６軸長方向に移動して相互に接近し、連結する直前において正対して連結用突起１２が連結凹部１３に嵌合し、以後、有害な遊びが発生しない程度に施解錠いずれの方向に連結される。プラグ６が初期回転位置にあるとき、連結用突起１２と連結凹部１３との間には、回転方向のずれ角（初期偏位角）が設定される。初期偏位角は、初期状態での連結用突起１２と連結凹部１３との間隔が狭いときには、ほとんど問題にならず、また、連結用突起１２と連結凹部１３との先端部にテーパ等を設けて初期偏位角に代えることもできる。
【００２３】
連結部材８の駆動は、上述した従来例と同様に、圧縮スプリングにより前方に付勢される連結部材８とスリーブ３との接触部にカムを形成し、プラグ６の回転とともに、連結部材８を軸方向に移動させることも可能であるが、
前記連結部材８は、スリーブ３に形成されたカム溝１４にフォロワー突起１５を移動自在に嵌合させてプラグ６に装着されるシリンダ錠を構成した場合には、圧縮スプリング等を使用する必要がなくなるために、構造、組立が簡単になる。
【発明の効果】
【００２４】
本発明によれば、連結時にプラグの回転操作をジョイントに完全に伝達することができるために、例えば、ジョイントに施解錠操作対象を作動させるレバーを一体に連結したり、あるいはジョイントとレバーとの間に遊び角を設定する等、施解錠操作対象の状態に柔軟に併せることが可能になり、汎用性を向上させることができる。
【図面の簡単な説明】
【００２５】
【図１】本発明を示す図で、（ａ）は断面図、（ｂ）は（ａ）の１Ｂ-１Ｂ線断面図である。
【図２】図１の要部を示す図で、（ａ）はスリーブを除いた図１（ｂ）の２Ａ-２Ａ線断面図、（ｂ）は図２（ａ）の２Ｂ方向矢視図である。
【図３】本発明の動作を示す図で、（ａ）は図１（ｂ）の３Ａ-３Ａ線断面図、（ｂ）は図１（ｂ）の３Ｂ-３Ｂ線断面図、（ｃ）は図１（ｂ）の３Ｃ-３Ｃ線断面図、（ｄ）は図１（ｂ）の３Ｄ-３Ｄ線断面図、（ｅ）は図１（ａ）の３Ｅ-３Ｅ線断面図である。
【図４】プラグを示す図で、（ａ）は断面図、（ｂ）は（ａ）の４Ｂ-４Ｂ線断面図である。
【図５】連結部材を示す図で、（ａ）は平面図、（ｂ）は（ａ）の５Ｂ方向矢視図、（ｃ）は（ｂ）の５Ｃ方向矢視図である。
【図６】本発明の動作を示す図で、（ａ）はプラグにジョイントが連結した状態を閉めず断面図、（ｂ）は（ａ）の６Ｂ-６Ｂ線断面図、（ｃ）は不正荷重が負荷されて回転ストッパが作動した状態を示す断面図である。
【発明を実施するための形態】
【００２６】
図１以下に示すように、シリンダ錠は、ケース１内にスリーブ３、プラグ６、およびジョイント７を挿入して形成される。スリーブ３、プラグ６、およびジョイント７はケース１の前端から挿入されてケース１の後端部に設けられたストッパフランジ１ａにより後方への抜け止めがなされ、かつ、ケース１前端に装着されるキャップ部材１８により前方への抜け止めがなされる。
【００２７】
上記スリーブ３は中空筒形状に形成されてケース１内に回転自在に挿入されており、回転境界面に配置した回転ストッパ２により相対回転が規制される。回転ストッパ２は、ボール２ａと、スリーブ３の外周壁面に形成される球面状のストッパ凹部２ｂとからなり、ボール２ａを収容するために、ケース１には、スリーブ３の回転軸に対して直交する方向を向き、内壁面に一端が開放されるボール収容部１ｂが形成される。
【００２８】
ボール２ａはボール収容部１ｂ内に配置される圧縮スプリング１９によりスリーブ３の回転中心軸方向に付勢されており、ストッパ凹部２ｂに嵌合する。
【００２９】
この状態でケース１とスリーブ３とはボール２ａを介して回転方向に連結されており、さらに、ケース１内でスリーブ３を所定トルクで相対回転させると、図６（ｃ）に示すように、ボール２ａは圧縮スプリング１９の付勢力に抗してボール収容部１ｂ内に没入し、スリーブ３との連結が解除される。スリーブ３との連結解除のトルクはストッパ凹部２ｂの曲率、深さ、圧縮スプリング１９の反力等により決定され、少なくとも、真正な解錠キーを使用してプラグ６を回転操作した際には連結が解除されず、さらに、プラグ６にドライバ等の工具を挿入して不正にプラグ６を回転させた場合には、後述するタンブラ５等に過大な応力が作業して作動不具合の原因となる変形等が発生する前に連結が解除される連結強度に設定される。
【００３０】
プラグ６はスリーブ３内に回転自在に挿入され、回転軸に対して直交方向に移動する複数のタンブラ５をスリーブ３に形成されるロック溝４に係止させることによりスリーブ３に対する相対回転が規制された初期回転位置に保持される。
【００３１】
上記ジョイント７は、前端面をプラグ６の後端面に当接させた状態でプラグ６の後方に配置される。このジョイント７は、外周面をスリーブ３の内周壁面に摺接させた状態でスリーブ３内に回転自在に挿入され、中間部に突設された抜け止めフランジ７ａをケース１のストッパフランジ１ａに当接させてケース１後方への離脱が規制される。
【００３２】
また、ジョイント７には抜け止めフランジ７ａの形成位置からさらに後方に延びてケース１の後端から突出するレバー取付部１０が延設され、その先端にレバー１７が止め輪２０を利用して固定される。図２、３に示すように、レバー取付部１０にはトーションスプリング９が巻装されており、トーションスプリング９のコイル部９ａの両端に形成される脚部１１がバネ係止部２１に係止される。
【００３３】
バネ係止部２１はケース１とジョイント７の双方に隣接するように配置されてトーションスプリング９の脚部１１は双方に当接するようにセットされ、双方の脚部１１がジョイント７に反対方向の回転トルクを与えることによってジョイント７を初期回転位置に保持する。この状態からジョイント７をいずれか一方に回転操作すると、トーションスプリング９の一方の脚部１１がケース１に係止した状態で他方の脚部１１のみがジョイント７に追随して回転するために、コイル部９ａの撓み角が増加し、その復元力によりジョイント７には初期回転位置側への付勢力が付与されて、ジョイント７への回転操作力の解除に伴って初期回転位置に復帰することができる。
【００３４】
上記プラグ６とジョイント７の境界部には連結部材８が配置される。図５に示すように、連結部材８は、後端部を連結用突起１２としたスライダ部８ａにフォロワー突起１５を突出させて形成されたピース状部材であり、プラグ６の外周に形成されるガイド溝１６にスライダ部８ａを嵌合してプラグ６に装着される。連結部材８はプラグ６の軸長方向に移動自在であり、プラグ６への装着状態において、上記ガイド溝１６は連結部材８のスライダ部により補完されてスライダ部とプラグ６の表面はほぼ同一面となり、フォロワー突起１５がプラグ６の外周から突出する状態となる。
【００３５】
一方、スリーブ３には、上記連結部材８のフォロワー突起１５が移動自在に嵌合するカム溝１４が形成される。図２に示すように、カム溝１４は、中心部に位置する屈折基部１４ａから自由端部１４ｂにいくに従って漸次後方に移動する平面視く字形状に形成される。連結部材８のフォロワー突起１５は、プラグ６がスリーブ３に対して初期回転位置にあるときにカム溝１４の屈折基部１４ａに位置し、プラグ６のスリーブ３に対する相対回転に伴ってカム溝１４に沿っていずれかの自由端部１４ｂ方向に移動しながら後方に導かれる。
【００３６】
また、連結部材８の連結用突起１２後端は、上記スリーブ３に対する初期回転位置においてプラグ６の後端に一致しており、フォロワー突起１５の移動に伴って後方に移動してプラグ６の後端から突出する。
【００３７】
さらに、ジョイント７の前端部には連結凹部１３が形成される。図１、２に示すように、連結凹部１３は、上記連結部材８の連結用突起１２が嵌合し、嵌合時における回転方向への過度の遊びが発生しないような大きさに形成される。プラグ６を初期回転位置から回転させた際に連結用突起１２は回転しながら後方に移動するために、連結凹部１３は、連結用突起１２との嵌合動作が行われるときに連結用突起１２に正対する位置に配置される。
【００３８】
連結用突起１２の先端と連結凹部１３の前端とがほぼ接触するように近接している本実施の形態において、連結用突起１２と連結凹部１３とは、初期回転位置において正対する位置に配置されており、嵌合時の誤差等を吸収するために、連結用突起１２、あるいは連結凹部１３の嵌合先端に面取を設けることもできる。
【００３９】
したがってこの実施の形態において、スリーブ３がケース１に対して回転方向に固定されており、該スリーブ３に対してプラグ６が初期回転位置にある状態が施錠状態に対応する。上述したように、施錠状態において連結部材８とジョイント７とは非連結状態であり、プラグ６に不正な回転操作力を与えると、図６（ｃ）に示すように、回転ストッパ２が解除してジョイント７がケース１に対して空転し、結果、ジョイント７、レバー１７は回転することはない。
【００４０】
これに対し、プラグ６を真正な解錠キーを使用して回転操作した場合には、プラグ６はスリーブ３に対して相対回転可能となる。図６（ａ）、（ｂ）に示すように、プラグ６がスリーブ３に対して相対回転すると、連結部材８とスリーブ３との間に形成されるカム構造に作用によって連結部材８が後方に移動してジョイント７に連結し、以後、ジョイント７、およびレバー１７はプラグ６に回転とともに回転し、施解錠対象を操作することができる。
【符号の説明】
【００４１】
１        ケース
２        回転ストッパ
３        スリーブ
４        ロック溝
５        タンブラ
６        プラグ
７        ジョイント
８        連結部材
９        トーションスプリング
１０      レバー取付部
１１      脚部
１２      連結用突起
１３      連結凹部
１４      カム溝
１５      フォロワー突起
１６      ガイド溝
【図１】
0005809426.tif 000002
【図２】
0005809426.tif 000003
【図３】
0005809426.tif 000004
【図４】
0005809426.tif 000005
【図５】
0005809426.tif 000006
【図６】
0005809426.tif 000007